(57)【要約】【課題】ウォーターサーバーに飲料用液体を供給する際に使用するのに適した包装フィルムおよび包装袋を提供する。【解決手段】内層、中間層および外層の複数の層からなるフィルムであって、前記内層は、未延伸ポリエチレンフィルムであり、前記中間層は、ナイロン又はポバールからなる未延伸フィルムであり、前記外層は、ポリオレフィンまたはポリエチレンを原料とした未延伸共押出多層フィルムである。【選択図】  図１
2012111229.tif 000002
【特許請求の範囲】
【請求項１】
内層、中間層および外層の複数の層からなるフィルムであって、
前記内層は、未延伸ポリエチレンフィルムであり、
前記中間層は、ナイロン又はポバールからなる未延伸フィルムであり、
前記外層は、ポリオレフィンを原料とした未延伸共押出多層フィルムであることを特徴とする包装フィルム。
【請求項２】
前記外層の未延伸共押出多層フィルムは、表層となる１層目が未延伸ポリプロピレン層、２層目および３層目が、両方とも未延伸ポリエチレン層、あるいはいずれか１層が未延伸ポリエチレン層で残りの１層が未延伸ポリプロピレンで構成されている未延伸共押出多層フィルムであることを特徴とする請求項１に記載の包装フィルム。
【請求項３】
前記内層の未延伸ポリエチレンフィルムは、滑材としての添加剤を用いないで製造されていることを特徴とする請求項１または２に記載の包装フィルム。
【請求項４】
サンドポリエチレンによる押出ラミネート、接着剤によるドライラミネート、ノンソルベントラミネートのいずれかの方法を用いて、前記外層、前記中間層および前記内層が張り合わされて製造されることを特徴とする請求項１から３のいずれか１項に記載の包装フィルム。
【請求項５】
内層、中間層および外層の複数の層からなるフィルムであって、
前記内層は、未延伸ポリエチレンフィルムであり、
前記中間層は、ナイロン又はポバールからなる未延伸フィルムであり、
前記外層は、ポリエチレンを原料とした未延伸共押出多層フィルムであることを特徴とする包装フィルム。
【請求項６】
前記外層の未延伸共押出多層フィルムは、表層となる１層目が高密度ポリエチレン層、２層目が低密度ポリエチレン層であることを特徴とする請求項５に記載の包装フィルム。
【請求項７】
前記外層の未延伸共押出多層フィルムは、前記１層目と前記２層目との間に、少なくとも１つの層を有し、前記少なくとも１つの層は、高密度ポリエチレン層または低密度ポリエチレン層であることを特徴とする請求項６に記載の包装フィルム。
【請求項８】
請求項１〜７のいずれか１項に記載の包装フィルムを用いて自動包装によって袋状に形成されたことを特徴とする包装袋。
【発明の詳細な説明】
【技術分野】
【０００１】
本発明は、飲料用液体を収容することを目的とした、包装フィルムおよび包装袋に関する。
【背景技術】
【０００２】
食品等の包装にフィルムを使用する際には、食品が要求する様々な包装条件を満たすために、性質の異なるフィルムを貼り合わせて目的の性能を持たせることが従来から行われている。
【０００３】
例えば、商品保存性と輸送時等の衝撃や屈曲に対する保護性を兼備するために、メタキシリレン基含有ポリアミド重合体を主体とする樹脂層（Ａ層）の少なくとも片面に、脂肪族ポリアミド樹脂を主体とする樹脂層（Ｂ層）を積層してなるポリアミド系積層二軸延伸フィルムの少なくとも片面に、無機物質が蒸着されてなる蒸着ポリアミド系積層樹脂フィルム（特許文献１参照）が用いられていたり、あるいは、廃棄による環境負荷が少なく、且つバリア性と遮光性を備えるために、少なくとも外側からガスバリア性を有する透明バリアフィルム、印刷インキ層及び熱融着樹脂層を順に積層して得られる遮光性包装材（特許文献２参照）が用いられており、様々なフィルムの組み合わせを用いた多数の包装フィルムが用いられている。
【先行技術文献】
【特許文献】
【０００４】
【特許文献１】特開２００９−２７４４４０号公報
【特許文献２】特開２０００−２８０３９４号公報
【発明の概要】
【発明が解決しようとする課題】
【０００５】
しかしながら、従来の食品の自動包装フィルムは、衝撃に対する保護性を有するために、一部の軽量物包装袋を除くと、延伸フィルムと未延伸フィルムを組み合わせたフィルムが用いられており、このような包装フィルムを、例えば、ウォーターサーバーに使用する飲料水等を収容する包装袋に使用すると、ウォーターサーバーに包装袋をセットし、先端が尖ったニードルを用いて包装袋に孔を開けて、孔から飲料水をウォーターサーバー本体へとニードル内部の通路を通じて供給する際に、ニードルによって開けられた包装袋の孔が裂けてしまい、前記孔とニードルの間に生じた隙間から飲料水が漏れてしまうと言う問題が有った。
【０００６】
このようなことから袋が裂けるのを防ぐために柔軟性を有するフィルムを用いると、例えば、１０キロ近い飲料水を袋に入れて供給すると、運搬時の袋の強度に問題が生じる可能性がある。また、菓子等の食品と異なり、飲料用液体、特に飲料水を収容した包装袋の場合、包装袋の匂いが液体に移り易いという問題が有る。
【０００７】
そこで、本発明は、前記問題を解決し、飲料用液体を収容するのに適した、包装袋を提供することを目的とする。
【課題を解決するための手段】
【０００８】
本発明の包装フィルムは、内層、中間層および外層の複数の層からなるフィルムであって、前記内層は、未延伸ポリエチレンフィルムであり、前記中間層は、ナイロン又はポバールからなる未延伸フィルムであり、前記外層は、ポリオレフィンを原料とした未延伸共押出多層フィルムであることを特徴とする。
【０００９】
また、前記外層の未延伸共押出多層フィルムは、表層となる１層目が未延伸ポリプロピレン層、２層目および３層目が、両方とも未延伸ポリエチレン層、あるいはいずれか１層が未延伸ポリエチレン層で残りの１層が未延伸ポリプロピレンで構成されている未延伸共押出多層フィルムを用いる。
【００１０】
前記内層の未延伸ポリエチレンフィルムは、滑材としての添加剤を用いないで製造されており、そして、サンドポリエチレンによる押出ラミネート、接着剤によるドライラミネート、ノンソルベントラミネートのいずれかの方法を用いて、前記外層、前記中間層および前記内層が張り合わされて前記包装フィルムは製造される。
【００１１】
本発明の別の形態の包装フィルムは、内層、中間層および外層の複数の層からなるフィルムであって、前記内層は、未延伸ポリエチレンフィルムであり、前記中間層は、ナイロン又はポバールからなる未延伸フィルムであり、前記外層は、ポリエチレンを原料とした未延伸共押出多層フィルムであることを特徴とする。
【００１２】
前記外層の未延伸共押出多層フィルムは、表層となる１層目が高密度ポリエチレン層、２層目が低密度ポリエチレン層であり、さらに、前記１層目と前記２層目との間に、少なくとも１つの層を有し、前記少なくとも１つの層は、高密度ポリエチレン層または低密度ポリエチレン層とする。
【００１３】
本発明の包装袋は、上述の本発明の包装フィルムを用いて自動包装によって袋状に形成されたことを特徴とする。
【発明の効果】
【００１４】
本発明の包装フィルムは、内層、中間層および外層の複数の層からなるフィルムであって、前記内層は、未延伸ポリエチレンフィルムであり、前記中間層は、ナイロン又はポバールからなる未延伸フィルムであり、前記外層は、ポリオレフィンを原料とした未延伸共押出多層フィルムであることにより、傷ついた部分が裂け難く、傷が拡がりにくいという特性を有することができる。
【００１５】
また、前記外層の未延伸共押出多層フィルムは、表層となる１層目が未延伸ポリプロピレン層、２層目および３層目が、両方とも未延伸ポリエチレン層、あるいはいずれか１層が未延伸ポリエチレン層で残りの１層が未延伸ポリプロピレンで構成されている未延伸共押出多層フィルムを用いることにより、ヒートシール時の耐熱性を有し、さらに粘り強い柔軟性を有することが可能となる。
【００１６】
前記内層の未延伸ポリエチレンフィルムは、滑材としての添加剤を用いないで製造されていることにより、前記包装フィルムを飲料水等の液体を収容する袋として使用した際に、液体に臭いが移ること、そしてにがりのような味も液体に移ることを防止することができる。
【００１７】
本発明の包装フィルムは、内層、中間層および外層の複数の層からなるフィルムであって、前記内層は、未延伸ポリエチレンフィルムであり、前記中間層は、ナイロン又はポバールからなる未延伸フィルムであり、前記外層は、ポリエチレンを原料とした未延伸共押出多層フィルムであることにより、傷ついた部分が裂け難く、傷が拡がりにくいという特性を有することができる。
【００１８】
前記外層の未延伸共押出多層フィルムは、表層となる１層目が高密度ポリエチレン層、２層目が低密度ポリエチレン層であり、さらに、前記１層目と前記２層目との間に、少なくとも１つの層を有し、前記少なくとも１つの層は、高密度ポリエチレン層または低密度ポリエチレン層とすることにより、より耐久性が向上し、かつ、傷ついた部分が裂けずらくなる。
【００１９】
本発明の包装袋は、上述の本発明の包装フィルムを用いて自動包装によって袋状に形成されたことにより、飲料液体を収容した場合、運搬時には破れにくく、ウォーターサーバーで使用した時には、ニードルによって孔を開けると孔の周囲のフィルムが前記ニードルと密着して包装袋に開けられた孔をニードルの隙間から飲料用液体が漏れるのを防ぐことが可能となり、飲料用液体を収容するのに適したものとなる。
【図面の簡単な説明】
【００２０】
【図１】本発明の包装フィルムの断面図である。
【図２】飲料水が入った包装袋がセットされたウォーターサーバーの内部構造を示す概略図である。
【図３】ウォーターサーバーの正面図である。
【図４】本発明の別の形態の包装フィルムの断面図である。
【発明を実施するための形態】
【００２１】
本発明を、図を用いて以下に詳細に説明する。図１が本発明の包装フィルム１の構成を示す断面図である。そして、包装フィルム１を用いた包装袋１０に飲料水を収容して使用するウォーターサーバー１１の内部構造を図２に示している。
【００２２】
本発明の包装フィルム１は、図１に示すように、複数の層からなるフィルムであり、包装した時に外側となる側から順に（図１では上から順に）、外層２、中間層３、内層４で構成される。前記外層２は、前記包装フィルム１を加工する際に使用するヒートシールの耐熱性を考慮してポリオレフィンを原料とした未延伸共押出多層フィルムを用いる。
【００２３】
前記未延伸共押出多層フィルムとして、表層となる１層目、つまり前記包装フィルム１において最外層となる１層目はポリプロピレン層５とし、２，３層目をポリエチレン層６，７とした未延伸共押出多層フィルムを用いることが好ましい。
【００２４】
前記１層目としてポリプロピレン層５を用いるのは、ヒートシール時の耐熱性を考慮したためである。前記包装フィルム１は多層フィルムであるので厚みがあるために、袋等に加工する際にヒートシールを用いると相当量の加熱が必要となる。その際に必要とされる前記包装フィルム１の耐熱性を満たすために、耐熱性が高く、かつ自動包装性に優れたポリプロピレン層５を１層目に用いる。
【００２５】
前記２，３層目にポリエチレン層又はポリプロピレン層を用いるのは、粘り強い柔軟性を有するためであり、これにより後述する本発明の包装袋１０をウォーターサーバーに使用した際に、ニードルにより孔を開けられた後、ニードルに包装フィルム１が密着するようになり、包装袋１０に入った飲料水等が漏れにくくなるという効果を奏する。
【００２６】
前記２，３層目については、いずれか１層をポリエチレン層とし、残りの１層をポリプロピレン層としてもよいが、少なくとも１層にはポリエチレン層を用いることが必要である。１層をポリプロピレン層とする場合には、２，３層のどちらに用いてもよい。また、前記ポリエチレン層の材質として、比重が０．９１前後の低密度ポリエチレンを用いる。
【００２７】
前記中間層３は、前記包装フィルム１の強度を確保するために、ナイロン又はポバールからなる未延伸フィルムを用いる。前記ナイロン又はポバールからなる未延伸フィルムは、延伸したナイロンフィルムやＰＥＴフィルムと比較すると強度が弱いが、未延伸フィルムの中では強度を有したフィルムであることから、前記包装フィルム１の強度確保のために用いており、これにより、前記包装フィルム１が破裂して破れるのを防ぐことができる。
【００２８】
前記内層４は、前記包装フィルム１を例えば袋状に形成する時に、ヒートシール層として使用するものであり、柔軟性がありヒートシール強度を有する未延伸ポリエチレンフィルムが用いられる。一般的なポリエチレンフィルムは、使いやすくするために、フィルム製造時に滑材や酸化防止剤等の様々な添加剤を使用しており、ポリエチレン臭がする。このような臭いは、前記包装フィルム１を飲料水等の液体を収容する袋として使用する際には、袋に収容された液体に臭いが移ると言う問題が生じるだけでなく、にがりのような味も液体に移る可能性が有る。そこで、これらの問題を解決するためには、前記内層４として、少なくとも滑材としての添加剤を用いない未延伸ポリエチレンフィルムを用いることが好ましい。また、前記未延伸ポリエチレンフィルムの材質として、比重が０．９１前後の低密度ポリエチレンを用いる。
【００２９】
上述のように、本発明の包装フィルム１は、前記外層２、前記中間層３および前記内層４から構成されるが、全ての層に未延伸フィルムを用いている。これは未延伸フィルムの特性が本発明の目的に適しているからである。プラスチックフィルムを分類した時に、延伸フィルムと未延伸フィルムとに分けることができる。延伸フィルムは未延伸フィルムと比較すると、強度は大きいが、フィルムに方向性が有るために一旦傷つくと傷が付いた方向に裂け易いという特性を有している。一方、本発明で用いる未延伸フィルムは延伸フィルムと比較すると、強度は弱いが、方向性が無いために、傷ついた部分が裂け難く、傷が拡がりにくいという特性を有する。
【００３０】
本発明の包装フィルム１は、包装フィルム１を用いて形成した袋に孔を開けた時に裂けるのを防ぐことを１つの目的としており、この目的を達成するために、未延伸フィルムの特性を利用したものである。
【００３１】
前記外層２、前記中間層３および前記内層４の各フィルムを貼り合わせることにより、前記包装フィルム１を形成する。その方法としては、以下の３つの方法を用いることが好ましい。
【００３２】
１つ目の方法はサンドポリエチレンによる押出ラミネートであり、フィルムとフィルムの間（前記外層２と前記中間層３の間、および前記中間層３と前記内層４との間）に、溶融したポリエチレンを挟んで押出しすることにより、前記外層２、前記中間層３および前記内層４の各フィルムを貼り合わせる方法であり、溶融したポリエチレンが接着剤の役割をしている。
【００３３】
２つ目の方法は接着剤によるドライラミネートであり、溶剤で溶解した接着剤を片方のフィルムに塗布し、乾燥後、他のフィルムと加熱ロールで加圧して貼り合わせる方法であり、使用する接着剤によって、耐熱性、耐薬品性、深絞り適性などの包装フィルム１の性能を決めることができる。
【００３４】
３つ目の方法はノンソルベントラミネートであり、有機溶剤を使わないで接着剤だけを片方のフィルムに塗布し、他のフィルムと圧着して貼り合わせる方法であり、大気への有機溶剤の放出がないので、貼り合わせ作業の際の環境への影響が緩和されるという効果を有する。上述のいずれかの方法を用いて前記包装フィルム１を製造することが好ましい。
【００３５】
ただし、前記中間層３に用いるナイロン又はポバールからなる未延伸フィルムは吸湿性があるために滑り難いと言う性質を有しており、また、前記内層４の未延伸ポリエチレンフィルムも滑材を用いていないために滑り難いと言う性質を有している。このような前記中間層３と前記内層４の特性を生かして、前記中間層３と前記内層４をラミネートしないで、空気を巻きこまないように重ね合わせて密着させながら巻き取ることにより、上述のように前記中間層３と前記内層４をラミネートした場合と同じ構成とすることができる。このような方法を用いたとしても、前記中間層３と前記外層２は上述のような方法を用いてラミネートする必要が有る。
【００３６】
このように中間層３と前記内層４をラミネートしないで形成した包装フィルム１は、袋状に形成した場合、袋の中が空の時には簡単に手で剥ぐことができ、衝撃を与えると簡単に剥げてしまうが、袋の中に液体を充填すると液体による内圧によって、前記中間層３と前記内層４の密着度が強くなり、袋を先端の尖ったもの、例えば後述するニードルで突き刺しても剥がれることはないので、ウォーターサーバーに使用する包装袋に求められる性質を確保することができる。
【００３７】
次に、外層２２にポリエチレンを原料とした未延伸共押出多層フィルムを用いた、本発明の別の形態の包装フィルム２１について説明する。図４に示すのが前記包装フィルム２１の断面図である。
【００３８】
本発明の包装フィルム２１は、図４に示すように、複数の層からなるフィルムであり、包装した時に外側となる側から順に（図４では上から順に）、外層２２、中間層３、内層４で構成される。前記外層２２は、ヒートシールの耐熱性等を考慮し、ポリエチレンを原料とした未延伸共押出多層フィルムを用いる。前記中間層３および前記内層４は、前記包装フィルム１と同じでものを用いており、前記中間層３はナイロン又はポバールからなる未延伸フィルム、そして、前記内層４は、柔軟性がありヒートシール強度を有する未延伸ポリエチレンフィルムを用いる。
【００３９】
前記未延伸共押出多層フィルムは、低密度ポリエチレンと高密度ポリエチレンの２種類を用いて形成する。前記未延伸共押出多層フィルムの層数は特に限定するものではなく、様々な層数が用いられるが、まず初めに、前記外層２２として、２層の未延伸共押出多層フィルムを用いる場合について、図４（ａ）を用いて説明する。
【００４０】
図４（ａ）に示すように、前記外層２２として、表層となる１層目、つまり前記包装フィルム１において最外層となる１層目は比重が０．９３前後の高密度ポリエチレンで形成された高密度ポリエチレン層２５とし、内側の層となる２層目を比重が０．９１前後の低密度ポリエチレンで形成された低密度ポリエチレン層２７とした未延伸共押出多層フィルムを用いる。前記１層目には、ヒートシール時の耐熱性を考慮して、耐熱性が高い高密度ポリエチレン層２５を選択し、前記２層目には、フィルムの強度が高く耐衝撃性に優れた低密度ポリエチレン層２７を選択する。このような異なる２種類のポリエチレンフィルムを用いた２層の未延伸共押出多層フィルムを前記外層２２とし、前記中間層３、そして前記内層４とを貼り合わせることにより、前記包装フィルム２１を形成する。その方法としては、上述の前記以包装フィルム１と同じ３つの方法を用いることが好ましい。
【００４１】
さらに、前記包装フィルム２１の外層２２として、３層以上の未延伸共押出多層フィルムを用いる場合について説明する。例えば、図４（ｂ）に示すように、３層の未延伸共押出多層フィルムの場合、前記２層の未延伸共押出多層フィルムの１層目と２層目の間に、新たな３層目を設けた構造とする。そのため、３層の未延伸共押出多層フィルムは、表層となる１層目は高密度ポリエチレン層２５を用い、内側の層となる２層目を低密度ポリエチレン層２７を用いる。
【００４２】
そして、前記高密度ポリエチレン層２５と前記低密度ポリエチレン層２７の間となる新たな３層目には、高密度ポリエチレン層２６あるいは低密度ポリエチレン層２６’のいずれかを用いることができる。このようにして形成した３層構造の未延伸共押出多層フィルムからなる外層２２、前記中間層３、そして前記内層４とを積層して包装フィルム２１を形成する。
【００４３】
さらに外層２２に使用する未延伸共押出多層フィルムの層数を増やす場合は、前記高密度ポリエチレン層２５と前記低密度ポリエチレン層２７の間にある中間の層数を増やせばよい。その場合、高密度ポリエチレン層２６あるいは低密度ポリエチレン層２６’のいずれかを用いて層数を増やすことができる。
【００４４】
また、外層２２に用いる未延伸共押出多層フィルムの層数を増やしたことにより、機械等の関係で一度に積層できない場合には、積層したポリエチレン層をさらに積層する方法を用いることも可能である。例えば、前記外層２２を５層とした場合には、低密度ポリエチレン層を積層した２層構造の低密度ポリエチレン層を２つ用意し、それに外層となる高密度ポリエチレン層を合わせて貼り合わせて、最終的に１層の高密度ポリエチレン層と４層の低密度ポリエチレン層からなる５層構造の外層２２とすることも可能である。
【００４５】
このように、前記外層２２に用いる未延伸共押出多層フィルムの層数、また、用いるポリエチレンの種類、その積層方法等は、前記包装フィルム２１が使用される条件に応じて様々な形態が可能である。また、前記内層４の前記未延伸ポリエチレンフィルムの材質として、前記外層２２の低密度ポリエチレン層２７と同様に低密度ポリエチレンを用いる。
【００４６】
本発明の包装フィルム１，２１をヒートシール等を用いた自動包装によって袋状に形成したものが、本発明の包装袋１０である。前記包装袋１０は飲料水等の飲料用液体を収容してウォーターサーバーに供給するための袋として用いることを主な目的としている。このような用途で用いられると、本発明の包装袋１０は前記包装フィルム１の特性により優れた性能を発揮することができる。
【００４７】
そこで、本発明の包装袋１０をウォーターサーバー１１に供給する飲料水を収容する袋として使用した場合について詳しく説明する。前記ウォーターサーバー１１は、図３に示すように、本体１２と、本体１２の上部にセットされ、飲料水の入った包装袋１０をセットするボトルホルダー１３から構成される。前記本体１２の内部には、飲料用液体を冷却する冷却タンク１５および飲料用液体を温める加熱タンク１６を内蔵しており、本体１２の正面には冷たい飲料用液体あるいは温かい飲料用液体を供給する２つの供給口が設けられており、利用者は供給口からコップ等に飲料水を入れて利用することができる。
【００４８】
前記本体１２の上部の開口には、前記ボトルホルダー１３を保持し、飲料水を前記ボトルホルダー１３から冷却タンク１５へと流出させるすり鉢状のパッキングホルダーが設けられている。そして、前記ボトルホルダー１３のすり鉢状の底面の中央に、包装袋１０に孔を開けるためのニードル１４が設けられている。前記ニードル１４は先端が尖った円筒形状で、側面に開口を有し、前記開口から底面へと通じる２つの通路を内部に有しており、前記２つの通路を通じて飲料水が冷却タンク１５へと供給される。
【００４９】
このようなウォーターサーバー１１に飲料水の入った包装袋１０をセットした状態が図２に示されている。図２の状態では、既にニードル１４によって包装袋１０に孔が開けられているが、この時、前記包装袋１０に開けられた孔の周囲の包装フィルム１は外層２，２２の傷ついた部分が裂け難く、傷が拡がりにくいという特性、および粘り強い柔軟性を有することにより、裂けることなくニードル１４の周囲に密着しており、前記ニードル１４と包装袋１０の孔との隙間から包装袋１０内の飲料水が漏れることなく、ウォーターサーバー１１の本体１２へと供給されている。
【００５０】
ウォーターサーバー１１は、家庭や職場に設置されており、利用者は業者から前記包装袋１０に入った飲料水を購入する。そのため、利用者に包装袋１０に入った飲料水を配達する必要があるが、前記中間層３に未延伸フィルムの中では強度を有したナイロン又はポバールからなる未延伸フィルムを用いることにより、破れたり破裂することなく安全に運搬することができる。
【００５１】
ウォーターサーバー１１は、飲料水だけでなく様々な飲料用液体を供給する事ができるので、包装袋１０にも様々な飲料用液体を収容することが考えられる。しかしながら、前記内層４には、にがりのような味および異臭がしないフィルムを用いていることから、包装袋１０に飲料用液体を収容して長期間保存されたとしても、飲料用液体にフィルムの臭いが移るのを防止することができる。特に、無臭の飲料水を収容した場合には、このような臭いが移らないという効果を生じることが利用者には求められることから、優れた効果を奏するものである。
【００５２】
このように本発明の包装袋１０に飲料用液体を収容することで、ウォーターサーバーに飲料用液体を供給する際に求められる様々な条件を満たすことができるようになる。
【符号の説明】
【００５３】
１    包装フィルム
２    外層
３    中間層
４    内層
５    ポリプロピレン層
６    ポリエチレン層
７    ポリエチレン層
１０  包装袋
１１  ウォーターサーバー
１２  本体
１３  ボトルホルダー
１４  ニードル
１５  冷却タンク
１６  加熱タンク
２１  包装フィルム
２２  外層
２５  高密度ポリエチレン層
２６  高密度ポリエチレン層
２６’低密度ポリエチレン層
２７  低密度ポリエチレン層
【図１】
2012111229.tif 000003
【図２】
2012111229.tif 000004
【図３】
2012111229.tif 000005
【図４】
2012111229.tif 000006